(57)【特許請求の範囲】
【請求項１】
建物の室内のペリメータゾーンの天井に設けられた第１の制気口から前記ペリメータゾーンの空気を吸い込み、かつ前記第１の制気口から吸い込まれた空気を前記第１の制気口よりも前記建物の外壁側に設けられた第２の制気口から前記ペリメータゾーンに吹き出すための第１の送風機と、
前記室内のインテリアゾーンの床に設けられた第３の制気口から前記インテリアゾーンの空気を吸い込み、かつ前記第３の制気口から吸い込まれた空気を前記第３の制気口よりも前記外壁側とは反対側に設けられた第４の制気口から前記インテリアゾーンに吹き出すための第２の送風機と、
前記ペリメータゾーンの空気を調和する第１の空気調和機が暖房運転しており、かつ前記室内のインテリアゾーンの空気を調和する第２の空気調和機が冷房運転していることを条件に、前記第１の送風機と前記第２の送風機とを駆動するコントローラと、を備える、空気調和システム。
【請求項２】
前記コントローラは、
前記ペリメータゾーンの温度を示す第１の温度情報と、前記インテリアゾーンの温度を示す第２の温度情報とを取得し、
前記第１の温度情報に基づき、前記第１の空気調和機が暖房運転しているかを判定し、
前記第２の温度情報に基づき、前記第２の空気調和機が冷房運転しているかを判定する、請求項１に記載の空気調和システム。
【請求項３】
前記ペリメータゾーンの温度を検出する第１の温度センサと、
前記インテリアゾーンの温度を検出する第２の温度センサと、をさらに備え、
前記コントローラは、前記第１の温度センサから前記第１の温度情報を取得し、かつ前記第２の温度センサから前記第２の温度情報を取得する、請求項２に記載の空気調和システム。
【請求項４】
前記コントローラは、前記ペリメータゾーンの温度が前記インテリアゾーンの温度よりも予め定められた値以上高い場合に、前記第１の空気調和機が暖房運転しており、かつ前記第２の空気調和機が冷房運転していると判定する、請求項１に記載の空気調和システム。
【請求項５】
前記第１の送風機を操作するための操作装置をさらに備え、
前記コントローラは、前記操作装置から予め定められた信号を受信した場合、前記条件が成立しているか否かに関わらず、前記第１の送風機を駆動する、請求項１から４のいずれか１項に記載の空気調和システム。
【請求項６】
前記コントローラは、
前記第１の空気調和機の運転モードを示す第１のモード情報を前記第１の空気調和機から取得し、かつ前記第２の空気調和機から前記第２の空気調和機の運転モードを示す第２のモード情報を取得し、
前記第１のモード情報に基づき前記第１の空気調和機が暖房運転をしているかを判定し、かつ前記第２のモード情報に基づき前記第２の空気調和機が冷房運転をしているかを判定する、請求項１に記載の空気調和システム。
【請求項７】
建物の室内のペリメータゾーンの天井に設けられた第１の制気口から前記ペリメータゾーンの空気を吸い込み、かつ前記第１の制気口から吸い込まれた空気を前記第１の制気口よりも前記建物の外壁側に設けられた第２の制気口から前記ペリメータゾーンに吹き出すための第１の送風機を制御する機能と、
前記室内のインテリアゾーンの床に設けられた第３の制気口から前記インテリアゾーンの空気を吸い込み、かつ前記第３の制気口から吸い込まれた空気を前記第３の制気口よりも前記外壁側とは反対側に設けられた第４の制気口から前記インテリアゾーンに吹き出すための第２の送風機を制御する機能と、を有し、
前記ペリメータゾーンの空気を調和する第１の空気調和機が暖房運転しており、かつ前記室内のインテリアゾーンの空気を調和する第２の空気調和機が冷房運転していることを条件に、前記第１の送風機と前記第２の送風機とを駆動する、コントローラ。
【請求項８】
建物の室内のペリメータゾーンの空気を調和する第１の空気調和機が暖房運転しており、かつ前記室内のインテリアゾーンの空気を調和する第２の空気調和機が冷房運転していること検知するステップと、
前記第１の空気調和機が暖房運転しており、かつ前記第２の空気調和機が冷房運転していることを条件に、前記ペリメータゾーンの天井に設けられた第１の制気口から前記ペリメータゾーンの空気を吸い込み、かつ前記第１の制気口から吸い込まれた空気を前記第１の制気口よりも前記建物の外壁側に設けられた第２の制気口から前記ペリメータゾーンに吹き出すように、第１の送風機を駆動し、かつ、前記インテリアゾーンの床に設けられた第３の制気口から前記インテリアゾーンの空気を吸い込み、かつ前記第３の制気口から吸い込まれた空気を前記第３の制気口よりも前記外壁側とは反対側に設けられた第４の制気口から前記インテリアゾーンに吹き出すように、第２の送風機を駆動するステップと、を備える、送風機の制御方法。
【発明の詳細な説明】
【技術分野】
【０００１】
本開示は、空気調和システム、コントローラ、および送風機の制御方法に関する。
【背景技術】
【０００２】
従来、オフィスビル等の建物では、室内のペリメータゾーン（窓際または壁際のエリア）の空気とインテリアゾーン（室内の中央のエリア）の空気とを、異なる空気調和機を用いて調和することが行われている。【０００３】
たとえば冬期においては、ペリメータゾーン用の空気調和機を暖房運転することによってペリメータゾーンを暖める一方で、インテリアゾーン用の空気調和機を冷房運転することによってインテリアゾーンを冷やすことが行われている。冬期においてインテリアゾーンを冷やす理由は、人、照明器具、および電子機器によってインテリアゾーンの温度が上昇するためである。【０００４】
このように室内にて暖房運転と冷房運転とを同時に行うと、暖房負荷と冷房負荷とが共に増加するミキシングロス（冷暖房の混合損失）が発生する。【０００５】
このようなミキシングロスを低減するため、たとえば特開昭５６−１５７７４７号公報（特許文献１）では、天井面に垂れ壁を設けている。
【先行技術文献】
【特許文献】
【０００６】
【特許文献１】特開昭５６−１５７７４７号公報
【発明の概要】
【発明が解決しようとする課題】
【０００７】
天井面に垂れ壁を設けた場合、ペリメータゾーン側では垂れ壁の付近で暖気が滞留してしまう。このため、ペリメータゾーンでは、対流による暖気の循環が停滞してしまう。【０００８】
このように暖気の循環が停滞すると、ペリメータゾーンの室温が不均一となる。また、「コールドドラフト」と呼ばれる好ましくない現象（室内の暖気が冷たい窓ガラスに触れて冷やされることにより、床面に下降する現象）が発生する。さらに、暖房負荷の低減量が大きくならないため、ミキシングロスを大幅に低減することも難しい。【０００９】
本開示は、ペリメータゾーンにおける暖気の循環をスムーズにすることが可能な空気調和システム、空気調和システムを構成するコントローラ、および空気調和システムを構成する送風機の制御方法を提供する。
【課題を解決するための手段】
【００１０】
本開示のある局面に従うと、空気調和システムは、建物の室内のペリメータゾーンの天井に設けられた第１の制気口からペリメータゾーンの空気を吸い込み、かつ吸い込まれた空気を第１の制気口よりも建物の外壁側に設けられた第２の制気口からペリメータゾーンに吹き出すための送風機と、ペリメータゾーンの空気を調和する第１の空気調和機が暖房運転しており、かつ室内のインテリアゾーンの空気を調和する第２の空気調和機が冷房運転していることを条件に、送風機を駆動するコントローラと、を備える。【００１１】
本開示の他の局面に従うと、コントローラは、建物の室内のペリメータゾーンの天井に設けられた第１の制気口からペリメータゾーンの空気を吸い込み、かつ吸い込まれた空気を第１の制気口よりも建物の外壁側に設けられた第２の制気口からペリメータゾーンに吹き出すための送風機を制御する。コントローラは、ペリメータゾーンの空気を調和する第１の空気調和機が暖房運転しており、かつ室内のインテリアゾーンの空気を調和する第２の空気調和機が冷房運転していることを条件に、送風機を駆動する。【００１２】
本開示のさらに他の局面に従うと、送風機の制御方法は、建物の室内のペリメータゾーンの空気を調和する第１の空気調和機が暖房運転しており、かつ室内のインテリアゾーンの空気を調和する第２の空気調和機が冷房運転していること検知するステップと、第１の空気調和機が暖房運転しており、かつ第２の空気調和機が冷房運転していることを条件に、ペリメータゾーンの天井に設けられた第１の制気口からペリメータゾーンの空気を吸い込み、かつ吸い込まれた空気を第１の制気口よりも建物の外壁側に設けられた第２の制気口からペリメータゾーンに吹き出すように、送風機を駆動するステップと、を備える。
【発明の効果】
【００１３】
本開示によれば、ペリメータゾーンにおける暖気の循環をスムーズにすることが可能となる。
【図面の簡単な説明】
【００１４】
【図１】建物の断面を表した断面図である。
【図２】送風機が駆動しているときの室内の空気の流れを説明するための図である。
【図３】コントローラの機能的構成を説明するための機能ブロック図である。
【図４】コントローラの処理の流れを説明するためのフロー図である。
【図５】コントローラのハードウェア構成の典型例を表した図である。
【図６】空気調和システムの変形例を説明するための図である。
【図７】室内の天井に仕切板を設けた構成を表した図である。
【図８】図７のＶＩＩＩ−ＶＩＩＩ線矢視断面図である。
【図９】空気調和システムの他の変形例を説明するための図である。
【図１０】図９のＸ−Ｘ線矢視断面図である。
【発明を実施するための形態】
【００１５】
以下、図面を参照しつつ、実施の形態について説明する。以下の説明では、同一の部品には同一の符号を付してある。それらの名称および機能も同じである。したがって、それらについての詳細な説明は繰り返さない。
【００１６】
＜Ａ．技術思想の概要＞
本実施の形態では、ペリメータゾーンの暖気を、送風機によってペリメータゾーン内で循環させる。送風機の駆動はコントローラによって実行される。
【００１７】
詳しくは、建物の室内のペリメータゾーンの天井には、第１の制気口（具体的には、吸込口（吸気口））が設けられている。また、ペリメータゾーンの天井には、第１の制気口よりも建物の外壁側に第２の制気口（具体的には吹出口（排気口））が設けられている。送風機は、第１の制気口から室内の空気を吸い込み、かつ吸い込まれた空気を第２の制気口からペリメータゾーンに吹き出す。
【００１８】
より詳しくは、コントローラは、ペリメータゾーンの空気を調和する空気調和機が暖房運転しており、かつペリメータゾーンに隣接するインテリアゾーンの空気を調和する空気調和機が冷房運転していることを条件に、送風機を駆動する。
【００１９】
このような処理により、ペリメータゾーンの暖気の循環が促進する。それゆえ、ペリメータゾーンを均一に暖めることができる。また、第２の制気口（吹出口）が第１の制気口（吸込口）よりも建物の外壁側にあるため、コールドドラフト（室内の暖気が冷たい窓ガラスに触れて冷やされることにより、床面に下降する現象）を低減できる。
【００２０】
さらに、ペリメータゾーンの天井に設けられた第１の制気口（吸込口）から暖気が吸気されるため、暖気がインテリアゾーンに流入することを防ぐことができる。それゆえ、暖房効率および冷房効率を同時に上げることが可能となる。このため、ミキシングロスを大幅に低減可能となる。
【００２１】
以下、このような構成の具体例を図面に基づいて説明する。
＜Ｂ.システム構成＞
図１は、建物の断面を表した断面図である。当該建物は、典型的にはオフィスビルである。
【００２２】
図１を参照して、建物９００の室内９４０は、ペリメータゾーン９４１と、インテリアゾーン９４２とに概念上区分される。ペリメータゾーン９４１と、インテリアゾーン９４２とは、隣接している。
【００２３】
本例では、仮想線Ｌよりも建物９００の外壁９０１側（または窓９０２側）がペリメータゾーン９４１である。仮想線Ｌよりも建物の中央部側がインテリアゾーンである。なお、「ペリメータゾーン」は、典型的には、窓９０２から５ｍ付近までのエリアとされている。ただし、ペリメータゾーンは建物９００の構造等によって決定するため、窓９０２からの距離は５ｍに限定されるものではない。
【００２４】
ペリメータゾーン９４１には、ペリメータゾーン９４１の空気を調和する空気調和機５０１が設置されている。つまり、ペリメータゾーン９４１には、ペリメータゾーン９４１用の空気調和機５０１が設置されている。
【００２５】
具体的には、空気調和機５０１は、窓９０２側付近の床面９７０に設置されている。空気調和機５０１（本例では室内機）は、床面９７０付近の空気を吸込口５１０から吸い込み、吹出口５３０から空気調和機５０１の上方に空気を吹き出す。なお、図１の例では床面９７０の下に床下９８０が形成されているが、床下９８０はなくてもよい。
【００２６】
天井裏９６０には、インテリアゾーン９４２の空気を調和する空気調和機６０１が設置されている。つまり、天井裏９６０には、インテリアゾーン９４２用の空気調和機６０１が設置されている。本実施の形態では、天井裏９６０のうちインテリアゾーン９４２の上方の空間に空気調和機６０１が設置されている。なお、天井裏９６０とは、天井９５０を設けることによって形成された空間である。
【００２７】
インテリアゾーン９４２における天井９５０には、吸込口６１０と、ダクト６２０と、吹出口６３０とが設けられている。吸込口６１０は、吹出口６３０よりも窓９０２側に設けられている。
【００２８】
空気調和機６０１（本例では室内機）は、吸込口６１０から空気を吸い、かつ吹出口６３０から空気を吹き出す。詳しくは、吸込口６１０から吸い込まれた空気はダクト６２０を通り、空気調和機６０１に吸い込まれる。また、空気調和機６０１から排出された空気は、ダクト６２０を通り、吹出口６３０からインテリアゾーン９４２に排出される。
【００２９】
ペリメータゾーン９４１における天井９５０には、吸込口２１０と、ダクト２２０と、吹出口２３０とが設けられている。吹出口２３０は、吸込口２１０よりも窓９０２側に設けられている。
【００３０】
本実施の形態に係る空気調和システム１は、コントローラ１１０と、温度センサ１２０と、温度センサ１３０と、操作装置１４０と、送風機１５０とを備える。コントローラ１１０は、温度センサ１２０と、温度センサ１３０と、操作装置１４０と、送風機１５０とに通信可能に接続されている。
【００３１】
送風機１５０は、天井裏９６０に設置されている。本実施の形態では、送風機１５０は、天井裏９６０のうちペリメータゾーン９４１の上方の空間に設置されている。
【００３２】
送風機１５０は、吸込口２１０から空気を吸い込み、かつ吹出口２３０から空気を吹き出す。詳細については後述するが、吸込口２１０から吸い込まれた空気は、ダクト２２０の中を流れ、その後、吹出口２３０からペリメータゾーン９４１に向かって吹き出す。
【００３３】
温度センサ１２０は、ペリメータゾーン９４１の温度を検出（測定）する。本例では、温度センサ１２０は、空気調和機５０１の吹出口５３０付近に設置されている。よって、本例では、温度センサ１２０は、ペリメータゾーン９４１のうち、空気調和機５０１の吹出口５３０付近の温度を検出する。
【００３４】
温度センサ１２０を空気調和機５０１の吹出口５３０付近に設置する理由は、空気調和機５０１が暖房運転しているか否かをコントローラ１１０が精度良く判定できるためである。ただし、温度センサ１２０の設置位置は、空気調和機５０１の吹出口５３０付近に限定されるものではない。
【００３５】
温度センサ１３０は、インテリアゾーン９４２の温度を検出する。本例では、温度センサ１３０は、空気調和機６０１の吹出口６３０付近に設置されている。よって、本例では、温度センサ１３０は、インテリアゾーン９４２のうち、空気調和機６０１の吹出口６３０付近の温度を検出する。
【００３６】
温度センサ１３０を空気調和機６０１の吹出口６３０付近に設置する理由は、空気調和機６０１が冷房運転しているか否かをコントローラ１１０が精度良く判定できるためである。ただし、温度センサ１３０の設置位置は、吹出口６３０付近に限定されるものではない。
【００３７】
温度センサ１２０，１３０は、検出結果をコントローラ１１０に通知する。具体的には、温度センサ１２０，１３０は、電気信号（温度を示す情報）をコントローラ１１０に送信する。
【００３８】
コントローラ１１０は、本例では、天井裏９６０に設置されている。しかしながら、コントローラ１１０の設置場所は天井裏９６０に限定されるものではない。
【００３９】
コントローラ１１０は、温度センサ１２０から受信した電気信号の電圧値に基づき、空気調和機５０１の吹出口５３０付近の温度を判断する。コントローラ１１０は、空気調和機５０１の吹出口５３０付近の温度に基づき、空気調和機５０１が暖房運転をしているか否かを判定する。たとえば、コントローラ１１０は、空気調和機５０１の吹出口５３０付近の温度が所定の閾値（たとえば３５度）以上であれば、空気調和機５０１が暖房運転していると判断する。
【００４０】
コントローラ１１０は、温度センサ１３０から受信した電気信号の電圧値に基づき、空気調和機６０１の吹出口６３０付近の温度を判断する。コントローラ１１０は、空気調和機６０１の吹出口６３０付近の温度に基づき、空気調和機６０１が冷房運転をしているか否かを判定する。たとえば、コントローラ１１０は、空気調和機６０１の吹出口６３０付近の温度が所定の閾値（たとえば２０度）以下であれば、空気調和機６０１が冷房運転していると判断する。
【００４１】
以上のように、コントローラ１１０は、温度センサ１２０による検出結果と、温度センサ１３０による検出結果とに基づき、ペリメータゾーン９４１用の空気調和機５０１が暖房運転しており、かつインテリアゾーン９４２用の空気調和機６０１が冷房運転していることを検出する。
【００４２】
コントローラ１１０は、送風機１５０の駆動を制御する。コントローラ１１０は、空気調和機５０１が暖房運転しており、かつインテリアゾーン用の空気調和機６０１が冷房運転していることを条件に、送風機１５０を駆動する。具体的には、コントローラ１１０は、送風機１５０を駆動するための駆動指令を送風機１５０に送る。なお、送風機１５０の駆動とは、送風するための部材の駆動（たとえば、羽の回転）を意味する。
【００４３】
操作装置１４０は、表示部１４１と、操作部１４２とを備える。操作装置１４０は、空気調和システム１のユーザーが送風機１５０の運転および停止を手動で制御するために用いられる。このように、空気調和システム１では、コントローラ１１０による送風機１５０の自動制御と、操作装置１４０を用いた送風機１５０の手動制御とが可能である。
【００４４】
操作部１４２は、典型的には、操作ボタンである。送風機１５０が停止中に操作部１４２がユーザー操作を受付けると、コントローラ１１０は、送風機１５０を駆動（強制運転）させる。送風機１５０が運転中に操作部１４２がユーザー操作を受付けると、コントローラ１１０は、送風機１５０を停止させる。
【００４５】
表示部１４１は、各種の情報を表示する。たとえば、表示部１４１は、送風機の運転状態を表示する。表示部１４１は、たとえば、強制運転していることを表示する。
【００４６】
ところで、コントローラ１１０は、「空気調和機５０１が暖房運転しており、かつ空気調和機６０１が冷房運転している」ことを、２つの温度センサ１２０，１３０によって検出された温度の差に基づき検出してもよい。具体的には、コントローラ１１０は、温度センサ１３０による検出結果（温度）が温度センサ１２０による検出結果（温度）よりも所定の閾値以上低い場合に、「空気調和機５０１が暖房運転しており、かつ空気調和機６０１が冷房運転している」と判断してもよい。当該閾値としては、たとえば、１０度から２０度の間の値を用いることができる。
【００４７】
＜Ｃ．送付機駆動時の空気の流れ＞
以下では、空気調和機５０１が暖房運転しており、かつ空気調和機６０１が冷房運転しているものとする。
【００４８】
図２は、送風機１５０が駆動しているときの室内９４０の空気の流れを説明するための図である。
【００４９】
図２を参照して、空気調和機５０１の吹出口５３０から吹き出した空気（すなわち暖気）は、矢印５１の方向に進む。その後、暖気は、拡散し、かつ全体として矢印５２の方向に進む。送風機１５０が駆動しているため、その後、暖気は吸込口２１０から吸引される（矢印５３参照）。
【００５０】
吸引された暖気は、送風機１５０によって、吹出口２３０からペリメータゾーン９４１に向かって吹き出す。吹出口２３０は、窓９０２の近傍に設けられている。そのため、吹出口２３０から吹き出した暖気は、窓９０２方向に向かう（矢印５４参照）。
【００５１】
空気調和機５０１は、吹出口２３０から窓９０２に沿って流れてくる暖気を、吸込口５１０から吸い込む。なお、空気調和機５０１は、吹出口２３０から吹き出した暖気だけではなく、床面９７０付近の他の空気（たとえば暖気と冷気とが混合した空気）も吸い込む（矢印５５参照）。
【００５２】
空気調和機６０１の吹出口６３０から吹き出した空気（すなわち冷気）は、矢印６１の方向に進む。その後、冷気は、拡散し、かつ全体として矢印６２の方向に進む。なお、矢印６３に示すように吸込口６１０から空気が吸い込まれ、空気調和機６０１に送られる。
【００５３】
以上のとおり、送風機１５０を駆動させることにより、ペリメータゾーン９４１における暖気の循環が促進する。それゆえ、送風機１５０を駆動しない場合に比べて、ペリメータゾーン９４１を均一に暖めることができる。また、吹出口２３０が吸込口２１０よりも建物９００の外壁９０１側（すなわち窓９０２側）にあるため、暖気が窓９０２側に大量に供給される。それゆえ、コールドドラフトを低減できる。
【００５４】
さらに、ペリメータゾーン９４１の天井９５０に設けられた吸込口２１０から暖気が吸い込まれるため、暖気がインテリアゾーン９４２に流入することを防ぐことができる。それゆえ、暖房効率および冷房効率を同時に上げることが可能となる。このため、空気調和システム１によれば、冷暖房のミキシングロスを大幅に低減可能となる。
【００５５】
＜Ｄ．機能的構成＞
図３は、主としてコントローラ１１０の機能的構成を説明するための機能ブロック図である。
【００５６】
図３を参照して、コントローラ１１０は、温度情報取得部１１１と、温度情報取得部１１２と、判定部１１３と、指令生成部１１４と、通信ＩＦ（Interface）部１１５と、送信部１１６とを備える。
【００５７】
温度情報取得部１１１は、温度センサ１２０から送信された電気信号を受信する。温度情報取得部１１１は、電気信号の電圧値に基づいて、温度センサ１２０近傍の温度を判断する。
【００５８】
温度情報取得部１１２は、温度センサ１３０から送信された電気信号を受信する。温度情報取得部１１２は、電気信号の電圧値に基づいて、温度センサ１３０近傍の温度を判断する。
【００５９】
このように、コントローラ１１０は、温度センサ１２０から温度情報を取得し、かつ温度センサ１３０から温度情報を取得する。
【００６０】
判定部１１３は、温度情報取得部１１１によって取得された温度情報に基づき、ペリメータゾーン９４１の空気調和機５０１が暖房運転しているか否かを判定する。さらに、判定部１１３は、温度情報取得部１１２によって取得された温度情報に基づき、インテリアゾーン９４２の空気調和機６０１が暖房運転しているか否かを判定する。判定部１１３は、判定結果を指令生成部１１４と通信ＩＦ部１１５とに通知する。
【００６１】
指令生成部１１４は、送風機１５０を駆動する駆動指令と、駆動している送風機１５０を停止させる停止指令とを送風機１５０に送信可能である。指令生成部１１４は、「空気調和機５０１が暖房運転しており、かつ空気調和機６０１が冷房運転している」ことを条件に駆動指令を生成し、かつ、送信部１１６を介して、生成された駆動指令を送風機１５０に送信する。
【００６２】
通信ＩＦ部１１５は、判定部１１３から受信した判定結果に基づき、操作装置１４０に情報を通知する。たとえば、通信ＩＦ部１１５は、空気調和機５０１が暖房運転しており、かつ空気調和機６０１が冷房運転している場合には、送風機１５０が駆動状態（運転中）であることを操作装置１４０に通知する。この場合、操作装置１４０は、表示部１４１に送風機１５０が駆動中（運転中）であることを通知する。
【００６３】
通信ＩＦ部１１５は、操作装置１４０の操作部１４２が操作されたことに基づく信号を操作装置１４０から受信する。通信ＩＦ部１１５は、当該信号を指令生成部１１４に通知する。
【００６４】
指令生成部１１４は、送風機１５０が停止状態である場合には、送風機１５０を駆動させる駆動指令を生成し、かつ、送信部１１６を介して、駆動指令を送風機１５０に送信する。これにより、送風機１５０は駆動を開始する。また、指令生成部１１４は、送風機１５０が駆動状態である場合には、駆動を停止させる停止指令を生成し、かつ、送信部１１６を介して、停止指令を送風機１５０に送信する。これにより、送風機１５０の駆動は停止する。
【００６５】
＜Ｅ．制御構造＞
図４は、コントローラ１１０の処理の流れを説明するためのフロー図である。
【００６６】
図４を参照して、ステップＳ１において、コントローラ１１０は、ペリメータゾーン９４１に設置された温度センサ１２０から温度情報を取得する。ステップＳ２において、コントローラ１１０は、インテリアゾーン９４２に設置された温度センサ１３０から温度情報を取得する。詳しくは、コントローラ１１０は、周期的に、これらの温度情報を取得する。なお、ステップＳ１とステップＳ２との順番は逆であってもよい。
【００６７】
ステップＳ３において、コントローラ１１０は、温度センサ１２０，１３０から取得した温度情報に基づき、ペリメータゾーン９４１用の空気調和機５０１が暖房運転しており、かつ、インテリアゾーン９４２用の空気調和機６０１が冷房運転しているかを判断する。
【００６８】
ステップＳ３において肯定的な判断がなされた場合（ステップＳ３においてＹＥＳ）、コントローラ１１０は、ステップＳ４において、送風機１５０が駆動状態にあるか否かを判断する。
【００６９】
ステップＳ４において肯定的な判断がなされた場合（ステップＳ４においてＹＥＳ）、コントローラ１１０は、処理をステップＳ１に進める。ステップＳ４において否定的な判断がなされた場合（ステップＳ４においてＮＯ）、コントローラ１１０は、ステップＳ５において、駆動指令を送風機１５０に送信することにより、送風機１５０を駆動させる。
【００７０】
ステップＳ３において否定的な判断がなされた場合（ステップＳ３においてＮＯ）、コントローラ１１０は、ステップＳ６において、送風機１５０が駆動状態にあるか否かを判断する。
【００７１】
ステップＳ６において肯定的な判断がなされた場合（ステップＳ６においてＹＥＳ）、コントローラ１１０は、ステップＳ７において、停止指令を送風機１５０に送信することにより、送風機１５０を停止させる。ステップＳ６において否定的な判断がなされた場合（ステップＳ６においてＮＯ）、コントローラ１１０は、処理をステップＳ１に進める。
【００７２】
＜Ｆ．ハードウェア構成＞
図５は、コントローラ１１０のハードウェア構成の典型例を表した図である。
【００７３】
図５を参照して、コントローラ１１０は、主たる構成要素として、プログラムを実行するプロセッサ１１と、データを不揮発的に格納するＲＯＭ（Read  Only  Memory）１２と、プロセッサ１１によるプログラムの実行により生成されたデータ、又は入力装置を介して入力されたデータを揮発的に格納するＲＡＭ（Random  Access  Memory）１３と、データを不揮発的に格納するフラッシュメモリ１４と、通信ＩＦ１５と、時計１６とを備える。
【００７４】
各構成要素は、相互にデータバスによって接続されている。なお、通信ＩＦ１５は、本例では、他の各種機器と間における通信を行なためのインターフェイスである。
【００７５】
コントローラ１１０における処理は、各ハードウェアおよびプロセッサ１１により実行されるソフトウェアによって実現される。このようなソフトウェアは、フラッシュメモリ１４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ１５等を介してダウンロードされた後、フラッシュメモリ１４に一旦格納される。そのソフトウェアは、プロセッサ１１によってフラッシュメモリ１４から読み出され、ＲＡＭ１３に実行可能なプログラムの形式で格納される。プロセッサ１１は、そのプログラムを実行する。
【００７６】
同図に示されるコントローラ１１０を構成する各構成要素は、一般的なものである。したがって、本開示の本質的な部分は、ＲＡＭ１３、フラッシュメモリ１４、記憶媒体に格納されたソフトウェア、あるいはネットワークを介してダウンロード可能なソフトウェアであるともいえる。なお、コントローラ１１０の各ハードウェアの動作は周知であるので、詳細な説明は繰り返さない。
【００７７】
＜Ｇ．小括＞
空気調和システム１の主たる構成を小括すると、以下のとおりである。
【００７８】
（１）空気調和システム１は、送風機１５０と、コントローラ１１０とを備える。送風機１５０は、建物９００の室内９４０のペリメータゾーン９４１の天井９５０に設けられた吸込口２１０から室内９４０の空気を吸い込み、かつ吸い込まれた空気を吸込口２１０よりも建物９００の外壁９０１側に設けられた吹出口２３０からペリメータゾーン９４１に吹き出す。コントローラ１１０は、ペリメータゾーン９４１の空気を調和する空気調和機５０１が暖房運転しており、かつ室内９４０のインテリアゾーン９４２の空気を調和する空気調和機６０１が冷房運転していることを条件に、送風機１５０を駆動する。
【００７９】
（２）コントローラ１１０は、ペリメータゾーン９４１の温度を示す第１の温度情報と、インテリアゾーン９４２の温度を示す第２の温度情報とを取得する。コントローラ１１０は、第１の温度情報に基づき、空気調和機５０１が暖房運転しているかを判定する。コントローラ１１０は、第２の温度情報に基づき、空気調和機６０１が冷房運転しているかを判定する。
【００８０】
（３）空気調和システム１は、ペリメータゾーン９４１の温度を検出する温度センサ１２０と、インテリアゾーン９４２の温度を検出する温度センサ１３０とをさらに備える。コントローラ１１０は、温度センサ１２０から上記第１の温度情報を取得し、かつ温度センサ１３０から上記第２の温度情報を取得する。
【００８１】
（４）コントローラ１１０は、ペリメータゾーン９４１の温度がインテリアゾーン９４２の温度よりも予め定められた値以上高い場合に、空気調和機５０１が暖房運転しており、かつ空気調和機６０１が冷房運転していると判定する。
【００８２】
（５）温度センサ１２０は、空気調和機５０１の吹出口５３０付近の温度を検出する。温度センサ１３０は、空気調和機６０１の吹出口６３０付近の温度を検出する。
【００８３】
（６）吹出口２３０は、窓９０２側に設けられている。吹出口２３０は、窓９０２の付近にも設けられている。吹出口２３０からの暖気は、窓９０２方向に送られる。
【００８４】
（７）空気調和システム１は、送風機１５０を操作するための操作装置１４０をさらに備える。コントローラ１１０は、操作装置１４０から予め定められた信号を受信した場合、上述した条件が成立しているか否かに関わらず、送風機１５０を駆動する。
【００８５】
（８）操作装置１４０は、操作部１４２を有する。操作装置１４０は、操作部１４２が押下されたことに基づき、上記予め定められた信号をコントローラ１１０に送信する。
【００８６】
＜Ｈ．変形例＞
（ｈ１．第１の変形例）
図６は、空気調和システム１の変形例である空気調和システム１Ａを説明するための図である。また、図６は、送風機１５０が駆動しているときの室内９４０の空気の流れを説明するための図である。なお、図６においても、空気調和機５０１が暖房運転しており、かつ空気調和機６０１が冷房運転しているものとする。
【００８７】
図６を参照して、空気調和システム１Ａは、コントローラ１１０と、温度センサ１２０と、温度センサ１３０と、操作装置１４０と、送風機１５０と、送風機３５０とを備える。コントローラ１１０は、温度センサ１２０と、温度センサ１３０と、操作装置１４０と、送風機１５０と、送風機３５０とに通信可能に接続されている。このように、空気調和システム１Ａは、送風機３５０を備えている点において、空気調和システム１と異なる。
【００８８】
インテリアゾーン９４２における床下９８０には、吸込口４１０と、ダクト４２０と、吹出口４３０とが設けられている。吸込口４１０は、吹出口４３０よりも窓９０２側に設けられている。なお、床下９８０とは、床面９７０を設けることによって形成された空間である。
【００８９】
送風機３５０は、床下９８０に設置されている。本例では、床下９８０のうちインテリアゾーン９４２の下方の空間に送風機３５０が設置されている。
【００９０】
送風機３５０は、吸込口４１０から空気を吸い込み、かつ吹出口４３０から空気を吹き出す。詳しくは、吸込口４１０から吸い込まれた空気は、ダクト４２０の中を流れ、その後、吹出口４３０からインテリアゾーン９４２に向かって吹き出す。
【００９１】
吸込口４１０は、インテリアゾーン９４２のうち、ペリメータゾーン９４１寄りの床面９７０に設けられている。詳しくは、吸込口４１０は、ペリメータゾーン９４１とインテリアゾーン９４２との境界付近に設けられている。しかしながら、吸込口４１０の位置は、これに限定されるものではない。たとえば、吸込口４１０は、ペリメータゾーン９４１のうちインテリアゾーン９４２寄りの床面９７０に設けられていてもよい。
【００９２】
コントローラ１１０は、空気調和機５０１が暖房運転しており、かつインテリアゾーン用の空気調和機６０１が冷房運転していることを条件に、送風機１５０と送風機３５０とを駆動する。具体的には、コントローラ１１０は、送風機１５０を駆動するための駆動指令を送風機１５０に送るとともに、送風機３５０を駆動するための駆動指令を送風機３５０に送る。
【００９３】
本変形例の場合、図２に基づき説明した空気の流れとともに、送風機３５０によって生じる空気の流れが生じる。以下では、主として、送風機３５０によって生じる流れを説明する。詳しくは、インテリアゾーン９４２における空気の流れを説明する。
【００９４】
空気調和機６０１の吹出口６３０から吹き出した空気（すなわち冷気）は、上述したように拡散する。その後、拡散した冷気は、全体として矢印６２の方向に進む。
【００９５】
送風機３５０が駆動しているため、その後、冷気は吸込口４１０から吸引される（矢印６４参照）。吸引された冷気は、送風機３５０によって、吹出口４３０からインテリアゾーン９４２に向かって吹き出す（矢印６５参照）。
【００９６】
吹出口４３０は、室内９４０の中央部側（窓９０２とは反対側，奥側）に設けられている。それゆえ、吹出口４３０から吹き出した冷気は、室内９４０の中央部方向に吹き出す。本例の場合、空気調和機６０１の吹出口６３０の下方付近の床面９７０から、冷気がインテリアゾーン９４２に向かって吹き出す。
【００９７】
以上の構成により、空気調和システム１Ａは、空気調和システム１が奏する上述した作用および効果に加えて、以下の作用および効果を奏する。
【００９８】
送風機３５０を駆動させることにより、インテリアゾーン９４２における冷気の循環が促進する。それゆえ、送風機３５０を駆動しない場合に比べて、インテリアゾーン９４２を均一に冷やすことができる。
【００９９】
また、インテリアゾーン９４２の床面９７０に設けられた吸込口４１０から冷気が吸い込まれるため、冷気がペリメータゾーン９４１に流入することを防ぐことができる。それゆえ、空気調和システム１によりもさらに暖房効率および冷房効率を同時に上げることが可能となる。このため、空気調和システム１Ａによれば、冷暖房のミキシングロスを空気調和システム１よりもさらに低減可能となる。
【０１００】
（ｈ２．第２の変形例）
図７は、室内９４０の天井９５０に仕切板（垂れ壁）を設けた構成を表した図である。
【０１０１】
図７を参照して、仕切板１０７０は、垂下した状態で天井９５０に取り付けている。仕切板１０７０は、ペリメータゾーン９４１とインテリアゾーン９４２との境界に設けられている。仕切板１０７０の鉛直方向（Ｚ軸方向)の長さは、長い方がよい。ただし、見た目を良くする観点、圧迫感を低減する観点等からは、長すぎない方がよい。
【０１０２】
図８は、図７のＶＩＩＩ−ＶＩＩＩ線矢視断面図である。
図８を参照して、仕切板１０７０は、窓９０２と平行となるように設置されている。仕切板１０７０は、図示したＹ軸方向に沿って配置されている。
【０１０３】
本変形例においても、コントローラ１１０は、空気調和機５０１が暖房運転しており、かつインテリアゾーン用の空気調和機６０１が冷房運転していることを条件に、送風機１５０を駆動する。
【０１０４】
本例変形例の場合には、仕切板１０７０が設置されているため、仕切板１０７０が設置されていない場合に比べて、ペリメータゾーン９４１の天井９５０付近の暖気がインテリアゾーン９４２に流れ込むことを低減できる。また、仕切板１０７０は吸込口２１０の近傍に設置されているため、仕切板１０７０で一時的に滞留した暖気を吸込口２１０から効率良く吸い込むことが可能となる。
【０１０５】
したがって、本変形例では、仕切板１０７０を設けていない構成（たとえば、図１の構成）に比べて、ペリメータゾーン９４１における暖気の循環を一層促進することができる。それゆえ、仕切板１０７０が設置されていない場合に比べて、ペリメータゾーン９４１を一層均一に暖めることができる。
【０１０６】
以上により、仕切板１０７０を設置されていない場合に比べて、暖房効率および冷房効率を上げることが可能となる。このため、本変形例によれば、冷暖房のミキシングロスをさらに低減可能となる。
【０１０７】
（ｈ３．第３の変形例）
図９は、空気調和システム１の変形例である空気調和システム１Ｂを説明するための図である。なお、図９においても、空気調和機５０１が暖房運転しており、かつ空気調和機６０１が冷房運転しているものとする。
【０１０８】
図９を参照して、空気調和システム１Ｂは、コントローラ１１０と、温度センサ１２０と、温度センサ１３０と、操作装置１４０と、送風機１５０と、送風機１０９１と、送風機１０９２とを備える。コントローラ１１０は、温度センサ１２０と、温度センサ１３０と、操作装置１４０と、送風機１５０と、送風機１０９１と、送風機１０９２とに通信可能に接続されている。このように、空気調和システム１Ｂは、送風機１０９１と、送風機１０９２とを備えている点において、空気調和システム１と異なる。
【０１０９】
送風機１０９１，１０９２は、天井９５０（室内９４０側の天井面）に取り付けている。本例では、窓９０２側から、送風機１０９２と、吸込口２１０と、送風機１０９１と、吸込口６１０とが、この順に配置されている。
【０１１０】
本例では、送風機１０９２は、ペリメータゾーン９４１に設置されている。送風機１０９１は、ペリメータゾーン９４１とインテリアゾーン９４２との境界に設置されている。なお、送風機１０９１は、インテリアゾーン９４２のうちペリメータゾーン９４１寄りに設置されていてもよい。
【０１１１】
本変形例では、コントローラ１１０は、送風機１５０と、送風機１０９１と、送風機１０９２との駆動を制御する。
【０１１２】
図１０は、図９のＸ−Ｘ線矢視断面図である。
図１０を参照して、送風機１０９１は、吸込口２１０よりも、図示したＹ軸の正方向側（図の上方側）かつ図示したＸ軸の正方向側（図の右側，室内９４０の中央部側）に設置されている。送風機１０９２は、吸込口２１０よりも、Ｙ軸の負方向側（図の下方側）かつＸ軸の負方向側（図の左側，窓９０２側）に設置されている。
【０１１３】
送風機１０９１は、エリア９４８の空気を吸込口２１０方向に送る。詳しくは、送風機１０９１は、エリア９４８の天井９５０側の空気を吸込口２１０方向に送る。送風機１０９２は、エリア９４９の空気を吸込口２１０方向に送る。詳しくは、送風機１０９２は、エリア９４９の天井９５０側の空気を吸込口２１０方向に送る。このように、送風機１０９１は、室内９４０の天井９５０側の空気を吸込口２１０の方へ誘導する。
【０１１４】
エリア９４８は、空気調和機５０１の吹出口５３０と、空気調和機６０１の吹出口６３０とから、同じ程度に離れている。このため、エリア９４８では、暖気と冷気とが混ざり合う。詳しくは、暖気の方が冷気よりも軽いため、エリア９４８においては、天井９５０側の空気は暖気となり、床面９７０側の空気は冷気となる。
【０１１５】
したがって、送風機１０９１は、エリア９４８における天井９５０側の暖気を吸込口２１０方向に送ることになる。同様にして、送風機１０９２は、エリア９４９における天井９５０側の暖気を吸込口２１０方向に送ることになる。それゆえ、空気調和システム１Ｂでは、空気調和システム１に比べて、暖房効率および冷房効率を上げることが可能となる。このため、本変形例によれば、冷暖房のミキシングロスをさらに低減可能となる。
【０１１６】
（ｈ４．第４の変形例）
上記においては、「空気調和機５０１が暖房運転しており、かつ空気調和機６０１が冷房運転している」ことを、温度センサ１２０，１３０からの出力に基づきコントローラ１１０が判断した。しかしながら、コントローラ１１０は、他の方法によって、「空気調和機５０１が暖房運転しており、かつ空気調和機６０１が冷房運転している」ことを判断してもよい。
【０１１７】
たとえば、コントローラ１１０は、空気調和機５０１と空気調和機６０１と通信することにより、「空気調和機５０１が暖房運転しており、かつ空気調和機６０１が冷房運転している」こと判断してもよい。
【０１１８】
具体的には、コントローラ１１０は、空気調和機５０１の運転モードを示す情報（運転情報）を空気調和機５０１から取得することにより、空気調和機５０１が暖房運転しているか否かを判断してもよい。同様に、コントローラ１１０は、空気調和機６０１の運転モードを示す情報を空気調和機６０１から取得することにより、空気調和機６０１が冷房運転しているか否かを判断してもよい。
【０１１９】
また、空気調和機５０１，６０１が個別空調ではなくセントラル空調である場合には、コントローラ１１０は、空気調和機５０１，６０１の動作を管理する管理装置から空気調和機５０１，６０１の運転モードを示す情報を取得してもよい。
【０１２０】
上記においては、第１〜第４の変形例を説明したが、これらの各変形例を適宜組み合わせることも可能である。
【０１２１】
＜Ｉ．付記＞
（１）プログラムは、建物の室内のペリメータゾーンの空気を調和する第１の空気調和機が暖房運転しており、かつ前記室内のインテリアゾーンの空気を調和する第２の空気調和機が冷房運転していること検知するステップと、前記第１の空気調和機が暖房運転しており、かつ前記第２の空気調和機が冷房運転していることを条件に、前記ペリメータゾーンの天井に設けられた第１の制気口から前記ペリメータゾーンの空気を吸い込み、かつ前記吸い込まれた空気を前記第１の制気口よりも前記建物の外壁側に設けられた第２の制気口から前記ペリメータゾーンに吹き出すように、送風機を駆動するステップと、コントローラのプロセッサに実行させる。
【０１２２】
（２）プログラムを記録したコンピュータ読み取り可能な記録媒体（たとえば、一時的ではない記録媒体）であって、前記プログラムは、建物の室内のペリメータゾーンの空気を調和する第１の空気調和機が暖房運転しており、かつ前記室内のインテリアゾーンの空気を調和する第２の空気調和機が冷房運転していること検知するステップと、前記第１の空気調和機が暖房運転しており、かつ前記第２の空気調和機が冷房運転していることを条件に、前記ペリメータゾーンの天井に設けられた第１の制気口から前記ペリメータゾーンの空気を吸い込み、かつ前記吸い込まれた空気を前記第１の制気口よりも前記建物の外壁側に設けられた第２の制気口から前記ペリメータゾーンに吹き出すように、送風機を駆動するステップと、コントローラのプロセッサに実行させる。
【０１２３】
今回開示された実施の形態はすべての点で例示であって制限的なものではないと考えられるべきである。本開示の範囲は上記した説明ではなくて請求の範囲によって示され、請求の範囲と均等の意味および範囲内でのすべての変更が含まれることが意図される。
【符号の説明】
【０１２４】
１，１Ａ，１Ｂ  空気調和システム、５１〜５５，６１〜６５  矢印、１１０  コントローラ、１２０，１３０  温度センサ、１４０  操作装置、１４１  表示部、１４２  操作部、１５０，３５０，１０９１，１０９２  送風機、２１０，４１０，５１０，６１０  吸込口、２２０，４２０，６２０  ダクト、２３０，４３０，５３０，６３０  吹出口、５０１，６０１  空気調和機、９００  建物、９０１  外壁、９０２  窓、９４０  室内、９４１  ペリメータゾーン、９４２  インテリアゾーン、９４８，９４９  エリア、９５０  天井、９６０  天井裏、９７０  床面、９８０  床下、１０７０  仕切板、Ｌ  仮想線。
【要約】
空気調和システム（１）は、建物（９００）の室内（９４０）のペリメータゾーン（９４１）の天井（９５０）に設けられた第１の制気口（２１０）からペリメータゾーン（９４１）の空気を吸い込み、かつ吸い込まれた空気を第１の制気口（２１０）よりも建物（９００）の外壁（９０１）側に設けられた第２の制気口（２３０）からペリメータゾーン（９４１）吹き出すための送風機（１５０）と、ペリメータゾーン（９４１）の空気を調和する空気調和機（５０１）が暖房運転しており、かつ室内（９４０）のインテリアゾーン（９４２）の空気を調和する空気調和機（６０１）が冷房運転していることを条件に、送風機（１５０）を駆動するコントローラ（１１０）と、を備える。【図１】
0006910581.tif 000002
【図２】
0006910581.tif 000003
【図３】
0006910581.tif 000004
【図４】
0006910581.tif 000005
【図５】
0006910581.tif 000006
【図６】
0006910581.tif 000007
【図７】
0006910581.tif 000008
【図８】
0006910581.tif 000009
【図９】
0006910581.tif 000010
【図１０】
0006910581.tif 000011